(57)【要約】      （修正有）【課題】ブラシ押付け力を精度良く制御することにより、目的とするゴムバリが他に損傷を与えることなく効率的に除去出来るバリ取り装置を提供する。【解決手段】バリ取りブラシによりバリを除去するバリ取り装置であって、バリ取りブラシをその先端部に取り付けると共に、ワークのバリ取り面に向って進退自在に伸びる旋回駆動軸と、旋回駆動軸に一体的に取付けられたピストンとよりなり、ピストンにより、シリンダにより囲まれる空間が、バリ取りブラシ側の第１の空間と、バリ取りブラシと反対側の第２の空間とに仕切られており、第１の空間及び前記第２の空間に制御された加圧エアーを同時期に導入することにより、バリ取りブラシの先端部をワークのバリ取り面に当接させ、バリを除去する時の押圧力の制御が可能な状態でバリを除去する構成とした。【選択図】図１
0003136372.tif 000002
【実用新案登録請求の範囲】
【請求項１】
バリ取りブラシ（１）によりバリを除去するバリ取り装置であって、前記バリ取りブラシ（１）をその先端部に取り付けると共に、ワーク（２）のバリ取り面に向って進退自在に伸びる旋回駆動軸（３）と、前記旋回駆動軸（３）に一体的に取付けられたピストン（４）とよりなり、前記ピストン（４）により、シリンダ（５）により囲まれる空間が、前記バリ取りブラシ（１）側の第１の空間（５１）と、前記バリ取りブラシ（１）と反対側の第２の空間（５２）とに仕切られており、前記第１の空間（５１）及び前記第２の空間（５２）に制御された加圧エアーを同時期に導入することにより、前記バリ取りブラシ（１）の先端部を前記ワーク（２）のバリ取り面に当接させ、バリを除去する時の押圧力の制御が可能な状態でバリを除去する構成としたバリ取り装置。
【請求項２】
前記バリ取りブラシ（１）は、面積の異なる前記第１の空間（５１）及び前記第２の空間（５２）に制御された加圧エアーを同時期に導入することにより、前記ピストン（４）が前記第１の空間（５１）の空間（Ｘ）の軸方向間隔を移動可能な範囲において、摩耗による調整を不要としたことを特徴とする請求項１記載のバリ取り装置。
【請求項３】
前記シリンダ（５）の下端部に前記バリ取りブラシ（１）を取り囲む様にブラシ保護カバー（６）を配置したことを特徴とする請求項１または２記載のバリ取り装置。
【請求項４】
前記第１の空所（５１）に導入された加圧エアーの一部が、前記シリンダ（５）と前記旋廻駆動軸（３）に締結された前記ピストン（４）の下端部との微小な間隙（Ｙ）から漏洩させ、前記ブラシ保護カバー（６）と前記バリ取りブラシ（１）との隙間（Ｚ）から排出される様になしたことを特徴とする請求項１〜３のいずれか一項記載のバリ取り装置。
【請求項５】
前記ピストン（４）の前記第２の空室（５２）側の受圧面積を前記第１の空室（５１）側の受圧面積よりも大きくしたことを特徴とする請求項１〜４のいずれか一項記載のバリ取り装置。
【請求項６】
前記旋回駆動軸（３）がモータ（７）による正逆両方の回転機構及びシリンダ（５）とピストン（４）とによる往復動機構一体化したことを特徴とする請求項１〜５のいずれか一項記載のバリ取り装置。
【考案の詳細な説明】
【技術分野】
【０００１】
本考案は、バリ取り装置に関する。
また、本考案は、金属にゴムを焼き付けた成形品のバリを取り除くのに有用なバリ取り装置に関する。
【背景技術】
【０００２】
従来、特開２０００−２３３３５０号公報に記載のバリ取り装置が知られている。
従来、金属にゴムを焼付け成形する場合、一般的にゴムバリが発生し、除去する工程が必要である。
バリを除去する方法としては、ゴム単体品ならば、冷凍ホーニングやバレル研磨、打抜き等で行うが、これらの方法は、金属焼付け品の場合、防錆や打痕の観点からあまり適した方法ではない。
このため、金属焼付け品の場合は、刃物（メス）や布やすり等による手作業や、機械で金属と共にゴムバリを切削する方法や、グラインダー等で削り落とす方法が採用されている。
【０００３】
更に、ブラシを利用してゴムバリを取る方法が提案されている（特開２０００−２３３３５０号公報）。
しかし、ブラシを利用する場合、製品を押付けすぎても、ある程度は、プラシが屈曲する事によりバリ取りにさほど支障はないが、磨耗や毛切れによる押付け不足によるバリ取り不適合品が発生しやすい問題を惹起した。
このため、設備を設計する段階において、バリ取りにおける製品とブラシの位置関係過不足、押付け力の変化とブラシ自体の変形による押付け不安定等の条件を設備仕様に盛込む必要あった。
また、作業者が頻繁に位置変更を実施する必要があり作業者の負荷が大きい問題も招来した。
【０００４】
更に、最近は、防錆上の観点から、金属表面のボンデ処理皮膜を極力剥がさずにバリ取りの実施をする要求が高まっており、ブラシと製品の接触荷重の管理をより厳しくする必要性が出てきた。
このため、スプリング荷重によりブラシ押付け力を制御する方策等が提案されたが、この方策によっても、スプリング荷重による、ブラシ押付け力の変化でバリ取り面の安定化までは出来ていない。
【０００５】
【特許文献１】特開２０００−２３３３５０号公報
【考案の開示】
【考案が解決しようとする課題】
【０００６】
本考案は、このような課題に鑑みてなされたものであり、ブラシ押付け力を精度良く制御することにより、目的とするゴムバリが他に損傷を与えることなく効率的に除去出来るバリ取り装置を提供することを目的とする。
【課題を解決するための手段】
【０００７】
本考案のバリ取り装置は、バリ取りブラシによりバリを除去するバリ取り装置であって、前記バリ取りブラシをその先端部に取り付けると共に、ワークのバリ取り面に向って進退自在に伸びる旋回駆動軸と、前記旋回駆動軸に一体的に取付けられたピストンとよりなり、前記ピストンにより、シリンダにより囲まれる空間が、前記バリ取りブラシ側の第１の空間と、前記バリ取りブラシと反対側の第２の空間とに仕切られており、前記第１の空間及び前記第２の空間に制御された加圧エアーを同時期に導入することにより、前記バリ取りブラシの先端部を前記ワークのバリ取り面に当接させ、バリを除去する時の押圧力の制御が可能な状態でバリを除去する構成とした。
【考案の効果】
【０００８】
本考案は、以下に記載されるような効果を奏する。
請求項１記載の考案のバリ取り装置によれば、ブラシ押付け力を精度良く制御することが出来る。
【０００９】
また、請求項２記載の考案のバリ取り装置によれば、ブラシの摩耗に対して調整が不要である。
【００１０】
更に、請求項３記載の考案のバリ取り装置によれば、バリ取り時の発熱を抑えたり、ブラシへのバリカスの付着を効率的に除去出来る。
【００１１】
更に又、請求項４記載の考案のバリ取り装置によれば、ブラシにかかる押圧力を精度良く制御出来る。
【００１２】
更に、請求項５記載の考案のバリ取り装置によれば、ブラシの毛先の変形やネジレを矯正出来る。
【考案を実施するための最良の形態】
【００１３】
以下、本考案を実施するための最良の形態について、図１に基づき説明する。
本考案に係るバリ取り装置は、バリ取りブラシ１によりバリを除去するバリ取り装置であって、バリ取りブラシ１をその先端部に取り付けると共に、ワーク２のバリ取り面に向って進退自在に伸びる旋回駆動軸３と、この旋回駆動軸３に一体的に取付けられたピストン４とより構成されている。
【００１４】
この旋回駆動軸３は、モータ７の回転が歯付ベルト８を介して伝達され、正逆両方向に回転する構造となっている。
更に、この旋回駆動軸３は、その上方がボールスプラインユニット（９）構造となっているため、回転しながら軸方向に往復動可能な構造となっている。
また、シリンダ５により囲まれる空間Ｘは、ピストン４により、バリ取りブラシ１側の第１の空間５１と、バリ取りブラシ１と反対側の第２の空間５２とに仕切られている。
そして、第１の空間５１及び第２の空間５２に制御された加圧エアーを同時期に導入することにより、バリ取りブラシ１の先端部をワーク２のバリ取り面に当接させている。  
このことにより、バリを除去する時の押付力の制御が可能となる。
【００１５】
一方、シリンダ５の下端部には、バリ取りブラシ１を取り囲む様にブラシ保護カバー６が配置されている。
このことにより、ブラシ１の毛先の変形やネジレを抑えることが出来る。
また、第１の空所５１に導入された加圧エアーの一部が、シリンダ４と旋廻駆動軸３との間隙Ｙから漏洩して、ブラシ保護カバー６とバリ取りブラシ１との隙間Ｚから排出される構成となっている。
このことにより、バリ取り研磨時の発熱を抑え、ブラシ内の異物の除去が効率的に行える。
【００１６】
更に、ピストン４の第２の空室５２側の受圧面積を、第１の空室５１側の受圧面積よりも大きくしている。
具体的には、この面積比を１０：６程度に設定することにより、両空室５１、５２に同時にエアー圧を作用させると、その差がブラシ１をワーク２に押し付ける推力となっている。
【００１７】
更にまた、旋回駆動軸３は、正逆両方の回転を行える構造となっている。
このため、ブラシの毛先の変形やネジレの矯正を簡単に行うことが出来る。
【００１８】
また、第１の空室５１と第２の空室５２とには、夫々異なる圧力の加圧エアーを導入することが可能な構成となっている。
このことにより、ブラシ１にかかる荷重を微妙に調整できると共に、旋回駆動軸３を往復動させることが可能である。
【００１９】
また、本考案は上述の考案を実施するための最良の形態に限らず本考案の要旨を逸脱することなくその他種々の構成を採り得ることはもちろんである。
【図面の簡単な説明】
【００２０】
【図１】バリ取り装置にかかる考案の実施の形態を示す断面図である。
【符号の説明】
【００２１】
１  バリ取りブラシ
２  ワーク
３  旋回駆動軸
４  ピストン
５  シリンダ
６  ブラシ保護カバー
７  モータ
８  歯付ベルト
９  ボールスプラインユニット
【図１】
0003136372.tif 000003